(57)【要約】【課題】  自由配置で表示された一覧表示画面において、重なり合って表示されている画像データを効率的に参照することができる画像管理装置、画像管理プログラム、画像管理方法及び記録媒体を提供する。【解決手段】  前記画面上に表示される複数の画像の表示順位を設定する順位設定ステップ（Ｓ１１）と、前記順位設定ステップで設定された順番に前記画面上に画像を表示する画像表示ステップ（Ｓ１２）と、前記ディスプレーに表示されている画像の表示順位を変更する順位変更ステップ（Ｓ２０、Ｓ２１）と、前記順位変更ステップで変更した表示順位に従って、前記画面上の複数の画像の表示を更新する表示更新ステップ（Ｓ１２）とを有し、前記順位変更ステップは、前記画像の撮影時に付与された情報又は、前記ディスプレー上の前記画像の表示状態に基づく情報をもとに表示順位を変更する画像管理方法である。【選択図】    図８
2007121548.tif 000002
【特許請求の範囲】
【請求項１】
複数の画像を管理する画像管理装置であって、
複数の画像を配置自在になされた画面を有するディスプレーと、
前記画面上に表示される複数の画像の表示順位を設定する順位設定手段と、
前記順位設定手段で設定された順番に前記画面上に画像を表示する画像表示手段と、
前記ディスプレーに表示されている画像の表示順位を変更する順位変更手段と、
前記順位変更手段で変更した表示順位に従って、前記画面上の複数の画像の表示を更新する表示更新手段とを有し、
前記順位変更手段は、前記画像の撮影時に付与された情報又は、前記ディスプレー上の前記画像の表示状態に基づく情報をもとに表示順位を変更することを特徴とする画像管理装置。
【請求項２】
前記順位設定手段が設定した表示順位は、表示順位が先の画像が先に表示され、表示順位が後の画像が表示順位の先の画像に重なった場合には、表示順位が先の画像の重なった部分が表示順位が後の画像により隠されることを特徴とする請求項１に記載の画像管理装置。
【請求項３】
前記ディスプレー上に表示された画像について、重なり合った又は接触して表示された画像群を１つのグループとする画像グループ設定手段と、
前記表示画面上の画像を選択する画像選択手段と
を更に有し、
前記順位変更手段は、前記画像選択手段で選択された画像が属するグループに含まれる画像の表示順位を付け替えること特徴とする請求項１に記載の画像管理装置。
【請求項４】
前記表示更新手段は、前記画面上の画像の位置を変化させずに前記順位変更手段で変更した順位に従って、前記ディスプレーに表示されている画像又は、前記グループに属する画像の表示を更新することを特徴とする請求項３に記載の画像管理装置。
【請求項５】
前記撮影時に付与された情報は、撮影日時、画像のサイズを含むＥｘｉｆタグとして撮影画像に付与される情報であり、前記表示状態に基づく情報は、前記ディスプレーに表示されている各画像の表示面積であることを特徴とする請求項１に記載の画像管理装置。
【請求項６】
前記画面に表示される画像は、管理対象の原画像をそのサイズに比例して縮小したインデックス用の画像であることを特徴とする請求項１乃至５の内いずれか１項に記載の画像管理装置。
【請求項７】
複数の画像を配置自在になされた画面を有するディスプレーを備え、複数の画像を管理する画像管理装置で実行されるプログラムであって、
前記画面上に表示される複数の画像の表示順位を設定する順位設定ステップと、
前記順位設定ステップで設定された順番に前記画面上に画像を表示する画像表示ステップと、
前記ディスプレーに表示されている画像の表示順位を変更する順位変更ステップと、
前記順位変更ステップで変更した表示順位に従って、前記画面上の複数の画像の表示を更新する表示更新ステップとを有し、
前記順位変更ステップは、前記画像の撮影時に付与された情報又は、前記ディスプレー上の前記画像の表示状態に基づく情報をもとに表示順位を変更することを特徴とする画像管理プログラム。
【請求項８】
前記順位設定ステップで設定した表示順位は、表示順位が先の画像が先に表示され、表示順位が後の画像が表示順位の先の画像に重なった場合には、表示順位が先の画像の重なった部分が表示順位が後の画像により隠されることを特徴とする請求項７に記載の画像管理プログラム。
【請求項９】
前記ディスプレー上に表示された画像について、重なり合った又は接触して表示された画像群を１つのグループとする画像グループ設定ステップと、
前記表示画面上の画像を選択する画像選択ステップと
を更に有し、
前記順位変更ステップは、前記画像選択ステップで選択された画像が属するグループに含まれる画像の表示順位を付け替えること特徴とする請求項７に記載の画像管理プログラム。
【請求項１０】
前記表示更新ステップは、前記画面上の画像の位置を変化させずに前記順位変更ステップで変更した順位に従って、前記ディスプレーに表示されている画像又は、前記グループに属する画像の表示を更新することを特徴とする請求項９に記載の画像管理プログラム。
【請求項１１】
前記撮影時に付与された情報は、撮影日時、画像のサイズを含むＥｘｉｆタグとして撮影画像に付与される情報であり、前記表示状態に基づく情報は、前記ディスプレーに表示されている各画像の表示面積であることを特徴とする請求項７に記載の画像管理プログラム。
【請求項１２】
前記画面に表示される画像は、管理対象の原画像をそのサイズに比例して縮小したインデックス用の画像であることを特徴とする請求項７乃至１１の内いずれか１項に記載の画像管理プログラム。
【請求項１３】
複数の画像を配置自在になされた画面を有するディスプレーを備え、複数の画像を管理する画像管理装置の画像管理方法であって、
前記画面上に表示される複数の画像の表示順位を設定する順位設定ステップと、
前記順位設定ステップで設定された順番に前記画面上に画像を表示する画像表示ステップと、
前記ディスプレーに表示されている画像の表示順位を変更する順位変更ステップと、
前記順位変更ステップで変更した表示順位に従って、前記画面上の複数の画像の表示を更新する表示更新ステップとを有し、
前記順位変更ステップは、前記画像の撮影時に付与された情報又は、前記ディスプレー上の前記画像の表示状態に基づく情報をもとに表示順位を変更することを特徴とする画像管理方法。
【請求項１４】
複数の画像を配置自在になされた画面を有するディスプレーを備え、複数の画像を管理する画像管理装置で実行されるプログラムを記録した記録媒体であって、
前記画面上に表示される複数の画像の表示順位を設定する順位設定ステップと、
前記順位設定ステップで設定された順番に前記画面上に画像を表示する画像表示ステップと、
前記ディスプレーに表示されている画像の表示順位を変更する順位変更ステップと、
前記順位変更ステップで変更した表示順位に従って、前記画面上の複数の画像の表示を更新する表示更新ステップとを有し、
前記順位変更ステップは、前記画像の撮影時に付与された情報又は、前記ディスプレー上の前記画像の表示状態に基づく情報をもとに表示順位を変更することを特徴とする画像管理プログラムを記録した記録媒体。
【発明の詳細な説明】
【技術分野】
【０００１】
本発明は、自由配置で表示された一覧表示画面において、重なり合って表示されている画像データを効率的に参照することができる画像管理装置、画像管理プログラム、画像管理方法及び記録媒体に関する。
【背景技術】
【０００２】
画像データの一覧を自由配置で表示する場合、複数のファイルが重なり合うことがあり、このとき、表示サイズの違いから全くユーザに見えなくなることがある。もし、画像データの一部が認識できたとしても、その画像データを取得するためには、上位に表示されている画像データを移動させるなどの操作が必要となり煩雑である。
【０００３】
そこで特許文献１には、マウスを操作すると隠されているウインドウに対応して吹き出しやアイコンなどを生成する技術が開示されている。
【特許文献１】特開平１０−２９３６７３号公報
【発明の開示】
【発明が解決しようとする課題】
【０００４】
しかし、特許文献１に開示された技術では、吹き出し等によって内容を知ることができるものの、画像データを表示するものではなく、視認性が劣る。更に、その画像データを取得するためには従来と同様に煩雑な操作が必要である。
【０００５】
本発明は、係る事情に鑑みてなされたものであって、自由配置で表示された一覧表示画面において、重なり合って表示されている画像データを効率的に参照することができる画像管理装置、画像管理プログラム、画像管理方法及び記録媒体を提供することを目的とする。
【課題を解決するための手段】
【０００６】
上記課題を解決するための、本発明に係る請求項１に記載の画像管理装置は、複数の画像を管理する画像管理装置であって、複数の画像を配置自在になされた画面を有するディスプレーと、前記画面上に表示される複数の画像の表示順位を設定する順位設定手段と、前記順位設定手段で設定された順番に前記画面上に画像を表示する画像表示手段と、前記ディスプレーに表示されている画像の表示順位を変更する順位変更手段と、前記順位変更手段で変更した表示順位に従って、前記画面上の複数の画像の表示を更新する表示更新手段とを有し、前記順位変更手段は、前記画像の撮影時に付与された情報又は、前記ディスプレー上の前記画像の表示状態に基づく情報をもとに表示順位を変更する。
【０００７】
また本発明に係る請求項２に記載の画像管理装置は、上記記載の発明である画像管理装置において、前記順位設定手段が設定した表示順位は、表示順位が先の画像が先に表示され、表示順位が後の画像が表示順位の先の画像に重なった場合には、表示順位が先の画像の重なった部分が表示順位が後の画像により隠される。
【０００８】
また本発明に係る請求項３に記載の画像管理装置は、上記記載の発明である画像管理装置において、前記ディスプレー上に表示された画像について、重なり合った又は接触して表示された画像群を１つのグループとする画像グループ設定手段と、前記表示画面上の画像を選択する画像選択手段とを更に有し、前記順位変更手段は、前記画像選択手段で選択された画像が属するグループに含まれる画像の表示順位を付け替える。
【０００９】
また本発明に係る請求項４に記載の画像管理装置は、上記記載の発明である画像管理装置において、前記表示更新手段は、前記画面上の画像の位置を変化させずに前記順位変更手段で変更した順位に従って、前記ディスプレーに表示されている画像又は、前記グループに属する画像の表示を更新する。
【００１０】
また本発明に係る請求項５に記載の画像管理装置は、上記記載の発明である画像管理装置において、前記撮影時に付与された情報は、撮影日時、画像のサイズを含むＥｘｉｆタグとして撮影画像に付与される情報であり、前記表示状態に基づく情報は、前記ディスプレーに表示されている各画像の表示面積である。
【００１１】
また本発明に係る請求項６に記載の画像管理装置は、上記記載の発明である画像管理装置において、前記画面に表示される画像は、管理対象の原画像をそのサイズに比例して縮小したインデックス用の画像である。
【００１２】
また本発明に係る請求項７に記載の画像管理プログラムは、複数の画像を配置自在になされた画面を有するディスプレーを備え、複数の画像を管理する画像管理装置で実行されるプログラムであって、前記画面上に表示される複数の画像の表示順位を設定する順位設定ステップと、前記順位設定ステップで設定された順番に前記画面上に画像を表示する画像表示ステップと、前記ディスプレーに表示されている画像の表示順位を変更する順位変更ステップと、前記順位変更ステップで変更した表示順位に従って、前記画面上の複数の画像の表示を更新する表示更新ステップとを有し、前記順位変更ステップは、前記画像の撮影時に付与された情報又は、前記ディスプレー上の前記画像の表示状態に基づく情報をもとに表示順位を変更する。
【００１３】
また本発明に係る請求項８に記載の画像管理プログラムは、上記記載の発明である画像管理プログラムにおいて、前記順位設定ステップで設定した表示順位は、表示順位が先の画像が先に表示され、表示順位が後の画像が表示順位の先の画像に重なった場合には、表示順位が先の画像の重なった部分が表示順位が後の画像により隠される。
【００１４】
また本発明に係る請求項９に記載の画像管理プログラムは、上記記載の発明である画像管理プログラムにおいて、前記ディスプレー上に表示された画像について、重なり合った又は接触して表示された画像群を１つのグループとする画像グループ設定ステップと、前記表示画面上の画像を選択する画像選択ステップとを更に有し、前記順位変更ステップは、前記画像選択ステップで選択された画像が属するグループに含まれる画像の表示順位を付け替える。
【００１５】
また本発明に係る請求項１０に記載の画像管理プログラムは、上記記載の発明である画像管理プログラムにおいて、前記表示更新ステップは、前記画面上の画像の位置を変化させずに前記順位変更ステップで変更した順位に従って、前記ディスプレーに表示されている画像又は、前記グループに属する画像の表示を更新する。
【００１６】
また本発明に係る請求項１１に記載の画像管理プログラムは、上記記載の発明である画像管理プログラムにおいて、前記撮影時に付与された情報は、撮影日時、画像のサイズを含むＥｘｉｆタグとして撮影画像に付与される情報であり、前記表示状態に基づく情報は、前記ディスプレーに表示されている各画像の表示面積である。
【００１７】
また本発明に係る請求項１２に記載の画像管理プログラムは、上記記載の発明である画像管理プログラムにおいて、前記画面に表示される画像は、管理対象の原画像をそのサイズに比例して縮小したインデックス用の画像である。
【００１８】
また本発明に係る請求項１３に記載の画像管理方法は、複数の画像を配置自在になされた画面を有するディスプレーを備え、複数の画像を管理する画像管理装置の画像管理方法であって、前記画面上に表示される複数の画像の表示順位を設定する順位設定ステップと、前記順位設定ステップで設定された順番に前記画面上に画像を表示する画像表示ステップと、前記ディスプレーに表示されている画像の表示順位を変更する順位変更ステップと、前記順位変更ステップで変更した表示順位に従って、前記画面上の複数の画像の表示を更新する表示更新ステップとを有し、前記順位変更ステップは、前記画像の撮影時に付与された情報又は、前記ディスプレー上の前記画像の表示状態に基づく情報をもとに表示順位を変更する。
【００１９】
また本発明に係る請求項１４に記載の記録媒体は、複数の画像を配置自在になされた画面を有するディスプレーを備え、複数の画像を管理する画像管理装置で実行されるプログラムを記録した記録媒体であって、前記画面上に表示される複数の画像の表示順位を設定する順位設定ステップと、前記順位設定ステップで設定された順番に前記画面上に画像を表示する画像表示ステップと、前記ディスプレーに表示されている画像の表示順位を変更する順位変更ステップと、前記順位変更ステップで変更した表示順位に従って、前記画面上の複数の画像の表示を更新する表示更新ステップとを有し、前記順位変更ステップは、前記画像の撮影時に付与された情報又は、前記ディスプレー上の前記画像の表示状態に基づく情報をもとに表示順位を変更する。
【発明の効果】
【００２０】
本発明によれば、自由配置で表示された一覧表示画面において、重なり合って表示されている画像データを効率的に参照することができる。
【発明を実施するための最良の形態】
【００２１】
〔第１の実施の形態〕  
本実施の形態の画像管理方法の概要を説明する。
【００２２】
図１は、一覧表示画面１を示す図である。  
一覧表示画面１には、ツールメニューエリア２とデータ表示エリア３とが設けられている。  
ツールメニューエリア２には、ソートボタン２ａと終了ボタン２ｂとが配置されている。データ表示エリア３には、複数の画像データを表示することができる。図１に示すデータ表示エリア３には、複数の画像データ「画像１」〜「画像６」と、マウスポインタ４とが表示されている。  
図１では、「画像５」は「画像６」に隠れているため、ユーザは「画像５」を視認することができない。
【００２３】
そこでユーザがソートボタン２ａをクリックすると、図２に示すソートメニュー６が表示される。  
ユーザがソートメニュー６で「撮影日時で昇順ソート」あるいは「撮影日時で降順ソート」を選択すると、各画像データの撮影された日時が比較されて、画像の表示順位が変更される。そして、図３に示すように一覧表示画面１が更新表示される。  
ソート結果、「画像５」の表示順位が「画像６」よりも後になるため、ユーザは「画像５」を視認することができる。
【００２４】
ユーザがソートメニュー６で「画像サイズでソート（画像サイズが小さいほど上位）」を選択すると、各画像データのサイズが比較されて、画像の表示順位が変更される。そして、図４に示すように一覧表示画面１が更新表示される。  
ソート結果、「画像５」の表示順位が「画像６」よりも後になるため、ユーザは「画像５」を視認することができる。
【００２５】
ユーザがソートメニュー６で「表示面積でソート（表示面積が小さいほど上位）」を選択すると、ソートメニューが選択された時点での各画像データの表示面積が比較されて、画像の表示順位が変更される。そして、図５に示すように一覧表示画面１が更新表示される。  
ソート結果、「画像５」の表示順位が「画像６」よりも後になるため、ユーザは「画像５」を視認することができる。また、「画像４」の表示面積が「画像２」の表示面積よりも小さかったため、「画像４」の全体が表示されている。
【００２６】
同様にして、ユーザはソートメニュー６で「露出時間でソート」、「絞り値でソート」、「被写体距離でソート」などを選択して画像データの表示順を変更することができる。
【００２７】
また、上述の表示順位の変更は、データ表示エリア３に表示されている全画像データを対象とするだけでなく、特定のグループに属する画像データを対象とすることもできる。
【００２８】
図６は、グループの分類を表す図である。  
重なり合う複数の画像データが、一つのグループを形成する。そして、マウスによって１つの画像データを選択すると、その選択された画像データを含むグループが特定される。ユーザが上述のソート操作を指定すると、特定されたグループに属する画像データを対象として表示順位の変更が実行される。
【００２９】
図７は、上述の画像管理方法を実現するための画像管理装置２０の構成を示すブロック図である。  
画像管理装置２０には、操作部２１、表示部２２、通信部２４、処理部２５、画像メモリ２６、データベース２７、プログラムメモリ２８、一時メモリ２９が設けられている。
【００３０】
操作部２１は、種々の機能を操作し、指示入力を行うためのマウスやキーボードなどの入力部材である。表示部２２は、一覧表示画面１などを表示する。通信部２４は、外部装置（不図示）との間で画像データなどの情報を授受するための通信インターフェースである。処理部２５は、画像を縮小してインデックス画像を作成するなどの画像処理を実行すると共に、画像管理装置２０の各部を統括して制御する。  
画像メモリ２６は、画像データを保存するための記憶媒体である。データベース２７は、画像データに付随するＥｘｉｆデータなどの属性情報を管理情報として記憶するための記憶媒体である。プログラムメモリ２８は、画像管理装置２０で動作するプログラムを格納するための記憶媒体である。一時メモリ２９は、表示順位変更処理のためのデータを一時的に保存するバッファメモリである。
【００３１】
次に、画像管理装置２０を用いた画像表示手順について図８〜図１０を参照しつつ説明する。なお、以下に説明する画像表示機能は、本画像表示方法の内、主な機能に関するものである。従って、以下の説明において言及されていない機能であっても、図１乃至図７で説明された機能は、本画像表示方法に係る機能に含まれる。
【００３２】
図１０は、本実施例の画像管理装置２０に、外部装置から管理対象となる原画像を取得する処理の手順を説明するフローチャートである。
【００３３】
ステップＵ０１において、処理部２５は、デジタルカメラなどの外部装置（不図示）が通信部２４に接続されたことを検出する。外部装置の接続が検出されると、その外部装置に画像送信要求コマンドを送信し、ステップＵ０２において、その画像送信コマンドに応じて外部装置から送信された画像を受信する。
【００３４】
ステップＵ０３において、処理部２５は、受信した各画像ごとにその画像を原画像として所定の割合で縮小したインデックス用の縮小画像を作成する。そして、ステップＵ０４で原画像とそのインデックス画像を画像メモリ２６に記憶し、原画像に付随していたＥｘｉｆデータとインデックス画像のサイズと原画像及びインデックス画像を参照するための情報とを含む管理情報をデータベース２７に登録する。
【００３５】
以上の処理で、管理対象の画像を取得する処理を終了する。  
なお、ステップＵ０３では、所定サイズの縮小画像を作成するようにしても良い。
【００３６】
図８のステップＳ０１において、ユーザが画像管理装置２０を起動すると、処理部２５は、内部のテーブルなどを初期化し、ステップＳ０２において、一覧表示画面１を表示部２２に表示する。そして、ユーザの画像データの表示操作に応じて、ステップＳ０３において、対応するインデックス画像を画像メモリ２６から読み出して一覧表示画面１のデータ表示エリア３に表示する。  
そして、ユーザの次の操作入力を待機する。
【００３７】
ステップＳ１０において、ユーザがデータ表示エリア３に表示されているインデックス画像の表示位置を変更するためにドラッグ＆ドロップ操作を行うと、ステップＳ１１において、そのインデックス画像が先頭に表示されるように表示順位を変更する。  
続いて、ステップＳ１２において、変更された表示順位に従って、インデックス画像の表示を更新する。そして、ユーザの次の操作入力を待機する。
【００３８】
ステップＳ１５において、ユーザがデータ表示エリア３に表示されているインデックス画像の１つをクリックして選択すると、ステップＳ１１において、そのインデックス画像が先頭に表示されるように表示順位を変更する。  
続いて、ステップＳ１２において、変更された表示順位に従って、インデックス画像の表示を更新する。そして、ユーザの次の操作入力を待機する。
【００３９】
ステップＳ２０において、ユーザがツールメニューエリア２のソートボタン２ａを操作すると、ステップＳ２１に示すインデックス画像ソート処理（図９）を実行する。
【００４０】
図９のステップＴ０１において、選択されているインデックス画像が含まれるグループを特定し、そのグループに所属するインデックス画像のリストを取得する。ステップＴ０２において、そのグループに所属するインデックス画像をソート対象として一時メモリ２９のソート対象テーブル（不図示）に登録する。  
ステップＴ０３において、ソートメニュー６を表示して、ユーザの選択操作を待機する。
【００４１】
ステップＴ１０において、ユーザがソートメニュー６から撮影日時に基づく表示順位の更新を選択すると、ステップＴ１１において、ソート対象のインデックス画像を撮影日時に基づいてソートする。  
そして、ステップＴ１９において、ソート後のインデックス画像の表示順位を一時メモリ２９の表示情報テーブル（不図示）に登録してインデックス画像ソート処理を終了する。
【００４２】
ステップＴ１３において、ユーザがソートメニュー６から表示画像サイズに基づく表示順位の更新を選択すると、ステップＴ１４において、ソート対象のインデックス画像を表示画像サイズに基づいてソートする。  
そして、ステップＴ１９において、ソート後のインデックス画像の表示順位を一時メモリ２９の表示情報テーブル（不図示）に登録してインデックス画像ソート処理を終了する。
【００４３】
ステップＴ１６において、ユーザがソートメニュー６から表示面積に基づく表示順位の更新を選択すると、ステップＴ１７において、ソート対象のインデックス画像を表示画像面積に基づいてソートする。  
そして、ステップＴ１９において、ソート後のインデックス画像の表示順位を一時メモリ２９の表示情報テーブル（不図示）に登録してインデックス画像ソート処理を終了する。
【００４４】
図８に戻り、ステップＳ１２において、変更された表示順位に従って、インデックス画像の表示を更新する。そして、ユーザの次の操作入力を待機する。
【００４５】
ステップＳ２５において、ユーザがツールメニューエリア２の終了ボタン２ｂを操作すると、ステップＳ２６おいて、終了処理を実行して、画像表示処理を終了する。
【００４６】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００４７】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００４８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４９】
【図１】一覧表示画面を示す図。
【図２】ソートメニューを示す図。
【図３】一覧表示画面を示す図。
【図４】一覧表示画面を示す図。
【図５】一覧表示画面を示す図。
【図６】グループの分類を表す図。
【図７】画像管理装置の構成を示すブロック図。
【図８】画像表示処理手順を示すフロー図。
【図９】インデックス画像ソート処理手順を示すフロー図。
【図１０】原画像を取得する処理手順を示すフロー図。
【符号の説明】
【００５０】
１…一覧表示画面、２…ツールメニューエリア、３…データ表示エリア、４…マウスポインタ、６…ソートメニュー、９…チェックボックス、２０…画像管理装置、２２…表示部、２５…処理部、２６…画像メモリ、２９…一時メモリ。
【図１】
2007121548.tif 000003
【図２】
2007121548.tif 000004
【図３】
2007121548.tif 000005
【図４】
2007121548.tif 000006
【図５】
2007121548.tif 000007
【図６】
2007121548.tif 000008
【図７】
2007121548.tif 000009
【図８】
2007121548.tif 000010
【図９】
2007121548.tif 000011
【図１０】
2007121548.tif 000012